(57)【特許請求の範囲】
【請求項１】
透明な合成樹脂素材からなる保護フィルム（４）の一側面に粘着材（３）の層を設け、前記粘着材（３）の層を剥離材（２）で被覆し、使用に際して、前記剥離材（２）を剥離して前記粘着材（３）の粘着力で所要の貼付対象機器の液晶画面に貼着するところの保護シート材（１）であって、
前記剥離材（２）を、可撓性を有する柔軟で透明な合成樹脂素材で構成すると共にその一面に、前記貼付対象機器の液晶画面の周枠を示す枠線（２０）をプリントしてあり、該剥離材（２）を前記粘着材（３）の層に重ねて被覆した後に、その所定位置において、該剥離材（２）の外表面側から該剥離材（２）の厚みの９０％以上の深さの切込み（７）を形成し、該剥離材（２）を曲げる操作でもって該切込み（７）の部分で前記剥離材（２）を分割切断ができるように構成し、
前記枠線（２０）を前記貼付対象機器の液晶画面に位置合わせして載せ、前記保護シート材（１）の一端側を押さえた状態で他端を上に持ち上げて湾曲させることで前記切込み（７）の位置で分割切断し、
該分割切断により、前記剥離材（２）の可撓性による復元力によって前記粘着材（３）の層から浮き上がった、持ち上げた側の切断端部（２Ａ）を把持して前記粘着材（３）の層から前記持ち上げた側の剥離材（２）の半分を完全に剥離して除去し、
次いで、前記剥離材（２）を剥離した前記保護フィルム（４）の部分を前記液晶画面に貼付して固定し、
しかる後に、今度は貼付した前記保護フィルム（４）を押さえて、反対側の前記保護シート材（１）の端部を把持して全体を上方に持ち上げ、湾曲させると、残っている剥離材（２）がその可撓性によって前記保護フィルム（４）の粘着材（３）の層から浮き上がるので、その端部（２Ｂ）を把持することで残った剥離材（２）を完全に剥離して除去し、以って、前記保護フィルム（４）の残りの部分も前記液晶画面に貼付する、
ことを特徴とする保護シート材における保護フィルムの貼付方法。
【請求項２】
前記枠線（２０）に加え、前記貼付対象機器の特定位置を示す枠線（２０Ａ）がプリントされていることを特徴とする請求項１に記載の保護シート材における保護フィルムの貼付方法。
【発明の詳細な説明】
【技術分野】
【０００１】  本発明は、例えば、携帯電話、パソコンなど、液晶画面を備えた貼付対象機器の画面保護を図るところの保護シート材における保護フィルムの貼付方法に用いる保護シート材の改良に関する。
【背景技術】
【０００２】  例えば、液晶画面は、携帯電話、携帯ゲーム機、タブレット機、パソコン、或いは制御機器などの電子機器の表示手段として用いられているが、こうした液晶画面は外部に露出されているものであるから、爪或いは他物との接触によって傷つき易く、そのために保護皮膜を貼ることが求められている。
かかる保護皮膜としては、一般に、樹脂フィルム（シート）を基材として用いており、製品の最終工程で貼着したり、あるいは携帯電話等の個人ユーザーが別途購入し、自ら貼着したりしている。【０００３】  具体的には、図９及び図１０（拡大縦断面図）に示すように、このような保護シートは、一般に、樹脂フィルム（ＰＥＴ：ポリエチレンテレフタレート）からなる基材４の一側面に、シリコーン吸着させた粘着材３の層を備え、其の面を保護するために、通常他の樹脂フィルム（紙材に離型処理を施したものを用いることもある）の剥離材２（セパレーター層）を貼り付け、所要のサイズにカットされ、この状態で、搬送、販売され、ユーザーがその剥離材２を剥がして、目的の液晶画面などに、その粘着材３の層でもって貼り付けるものである。【０００４】  従って、市場流通しているのは、前記剥離材２が貼られている状態のものであり、本発明では、これを保護シート材１と称する。【０００５】  上述の保護シート材１は、その使用に際し、例えば、貼付対象機器の液晶画面に貼着する場合、その剥離材２を保護シート６から剥離し、画面に貼着することになるが、この際、規格サイズの保護シート材１から所要の面積のものをカットし（製造工程において予め規定のサイズのものが準備されることもある）、得られた保護シート材１の全域の剥離材２を剥離してから液晶画面に保護シート６を貼着しようとすると、保護シート６の全面の粘着材３の層に手指が貼り付いて、液晶画面に対する貼着位置の端部の位置決めが難しくなり、また、保護シート６の端から順番に貼って行くときに皺寄りなくスムースに行うということが出来難い。そして、貼着を何度もやり直しするような場合には、埃などが入り込むといった問題も発生する。【０００６】  そこで、従来においては、前記剥離材２に予め切込み（切れ目）を入れておいて、先ず、その部分剥離可能な剥離材２を剥離し、露出した粘着材３の一部を液晶画面に仮止めし、その後に、残りの剥離材２を剥がしながら順次液晶画面の上に貼着して行くという方法が採られていた。【０００７】  こうした保護シート材にかかわる従来技術としては、次の文献を挙げることができる。
【特許文献１】特開２０１１−７４１０９
【特許文献２】特開２００１−２９３７８０
【特許文献３】特開２０１２−２５０５７
【０００８】  そこで、上述したスムースな貼着を行うため、或いは皺寄り問題、埃等の混入問題を解消するべく、剥離材２に切込み７を入れることとなるが、次の問題が生じていた。
即ち、図９及び図１０に示すように、このような切込み７を形成する場合、図１１に示すようなスリッター機を用いて保護シート材１の剥離材２（セパレーター層）側から直接切込み加工を行うと、塗布されているシリコーン吸着の粘着材３の層をも切断する可能性がある。【０００９】  又、基材４、両側面の粘着材３と表面保護膜５、即ち、保護シート６は、基本的には樹脂層といえるものであるから、例え、不完全切断を試みたとしても、図１１に示すスリッター機を用いると、この圧縮変形し得る樹脂層を刃付きローラー等で押さえ付けて切り込みすることとなり、シリコーン吸着の粘着材３の層に凹部が発生する。
このような凹部が形成されると、保護シート６を画面に貼着するときに空気が入って皺寄りとなったり、その凹部の光屈折に起因する反射光で画面が見難くなったりするという問題がある。【００１０】  更に、剥離材２（セパレーター層）を粘着材３の層から剥がして、別途、全切切り込みした後再度貼り付ける方法もあるが、この方法では、裁断された剥離材２の細片を再貼着する際、相互に完全密着させて行うことは難しく、結果的にシリコーン吸着の粘着材３の層に細片同士による切込み線痕が発生し、画面に貼った後切込み線痕が消えることが無く、画面用保護フィルム、光飛散防止フィルムのように目視確認が出来る商品に対し使用するには問題があった。【００１１】  加えて、従来の剥離材２の完全切断による裏切り込みの場合、切込み線より粘着材３の粘着溶剤が染み出す事態も多々発生しており（図１０参照）、保護シート６の表面に付着し、ここに付着した埃等が固着されて容易に除去することが難しくなり、爾後の液晶画面への貼着使用上、問題になることが多くあった。【００１２】  このように、従来においては、要約すると次の問題があった。
１）剥離材（セパレーター）に、完全切断の切込みを入れると、シリコーン吸着の粘着材の層に切込み線痕が付くこととなって液晶画面等への貼着後に目障りとなる。
２）また、完全切断の切込み線から、粘着材の層の粘着剤の溶剤が染み出し、問題となる。
３）更に、事前に剥離材を切断しておいてから揃えて粘着材の層に貼着させる場合でも、この粘着材の層には、その分離された剥離材の突合せの線が残ることになり、画面等に貼着したときに目障りとなる。【００１３】  そこで、本発明者は、かかる問題に鑑み、液晶画面等を保護する保護シートに貼着されている剥離材を部分的に剥離切断し、露出した粘着材の層で容易に仮止めでき、皺寄り難く、埃の入り込みを未然に回避できながらスムースに貼着でき、且つ、粘着材の層に対する切込み痕などが残らないようにして貼着後の見た目が綺麗に仕上がるようにすることを考えた。
【発明の概要】
【発明が解決しようとする課題】
【００１４】  しかし、上述の如き手段を講講じことで、貼付方法は改善されたのであるが、保護シート材を所要の貼付機器の正しい位置に、確実に載置することが難しく、貼り直しを余儀されなくなるという問題が残っており、スムース、且つ、正確な貼り付けが出来ないという問題が残った。【００１５】  本発明は、保護シート材を貼付機器の液晶画面に対して正確に載置してその保護フィルムを貼付することができるようにし、失敗による貼り直しを回避して、保護フィルムの綺麗な貼付を行うことができるようにすることを目的とする。
【課題を解決するための手段】
【００１６】    本発明にかかる保護シート材における保護フィルムの貼付方法は、透明な合成樹脂素材からなる保護フィルム（４）の一側面に粘着材（３）の層を設け、前記粘着材（３）の層を剥離材（２）で被覆し、使用に際して、前記剥離材（２）を剥離して前記粘着材（３）の粘着力で所要の貼付対象機器の液晶画面に貼着するところの保護シート材（１）であって、
前記剥離材（２）を、可撓性を有する柔軟で透明な合成樹脂素材で構成すると共にその一面に、前記貼付対象機器の液晶画面の周枠を示す枠線（２０）をプリントしてあり、該剥離材（２）を前記粘着材（３）の層に重ねて被覆した後に、その所定位置において、該剥離材（２）の外表面側から該剥離材（２）の厚みの９０％以上の深さの切込み（７）を形成し、該剥離材（２）を曲げる操作でもって該切込み（７）の部分で前記剥離材（２）を分割切断ができるように構成し、
前記枠線（２０）を前記貼付対象機器の液晶画面に位置合わせして載せ、前記保護シート材（１）の一端側を押さえた状態で他端を上に持ち上げて湾曲させることで前記切込み（７）の位置で分割切断し、
該分割切断により、前記剥離材（２）の可撓性による復元力によって前記粘着材（３）の層から浮き上がった、持ち上げた側の切断端部（２Ａ）を把持して前記粘着材（３）の層から前記持ち上げた側の剥離材（２）の半分を完全に剥離して除去し、
次いで、前記剥離材（２）を剥離した前記保護フィルム（４）の部分を前記液晶画面に貼付して固定し、
しかる後に、今度は貼付した前記保護フィルム（４）を押さえて、反対側の前記保護シート材（１）の端部を把持して全体を上方に持ち上げ、湾曲させると、残っている剥離材（２）がその可撓性によって前記保護フィルム（４）の粘着材（３）の層から浮き上がるので、その端部（２Ｂ）を把持することで残った剥離材（２）を完全に剥離して除去し、以って、前記保護フィルム（４）の残りの部分も前記液晶画面に貼付する、
ことを特徴とする。【００１７】  本発明において、貼付対象機器とは、携帯電話、スマートフォン（商標名）等の電子機器、ポータブルサイズのＰＣ等を含むものとする。従って、その液晶画面も、矩形とは限らず円形、台形なども対象となる。
本発明に言う枠線とは、矩形、○型、星型、多角形などを含むものとし、前記貼付対象機器の液晶画面位置を示す何らかの位置表示部位に対応できるものであればよい。また、その線については、実線、一点鎖線、二点鎖線（仮想線）、破線なども含まれる。更に、液晶画面のコーナー示す¬の印であってもよい。
そして、前記切込み（７）は、完全破断状態ではなく、僅かな肉厚を残すスリットを意味する。この切込みは、保護シート材を横方向に二分して、上下部分を順次貼付する場合だけでなく、縦方向に二分して左右部分順次貼付する場合も含まれる。
【発明の効果】
【００１８】  本発明によれば、剥離材の枠線の存在によって、貼付対象機器の液晶画面に正確に載置させることができながら、剥離材の可撓性と切込みによって、保護シートの一端側を押さえ、他端側を持ち上げる操作を行うことで、その切込み位置で分断させて、半分ずつ貼付固定させることができるので、全体として、正確且つ迅速、スムースな転写貼付を行う事が出来る利点がある。
本発明のその他の利点は以下の実施例の説明から明らかとなろう。
【図面の簡単な説明】
【００１９】
【図１】本発明にかかる保護シート材の製造工程を示す概略図。
【図２】本発明にかかる保護シート材の加工前の要部の断面図。
【図３】本発明にかかる保護シート材の加工後の要部の断面図。
【図４】本発明にかかる保護シート材の使用方法の一工程を示す斜視図。
【図５】本発明にかかる保護シート材の使用方法の一工程を示す斜視図。
【図６】本発明にかかる保護シート材の使用方法の一工程を示す側面図。
【図７】本発明にかかる保護シート材の別態様の使用方法の一工程を側面図。
【図８】本発明にかかる保護シート材の別態様の使用方法の一工程を側面図。
【図９】従来技術の保護シート材の断面図。
【図１０】従来技術の保護シート材の要部の拡大断面図。
【図１１】従来技術の保護シート材のスリッター機の概略正面図。
【発明を実施するための最良の形態】
【００２０】  本発明にかかる保護シート材における保護フィルムの貼付方法の実施に際しては、前記枠線（２０）に加え、前記貼付対象機器の特定位置を示す枠線（２０Ａ）がプリントされていることが好ましい。
これによって、例えば、特定位置、即ち、カメラレンズ用の開口を示す枠線（２０Ａ）であれば、液晶画面の周囲の位置合わせと合わせて、一層正確な位置決め行うことでき、より正確な貼付、転写を行うことができる。
【実施例】
【００２１】  本発明にかかる保護シート材１は、図２に示すように、次のように構成されている。
その保護シート材１を製造する工程は、従来技術と同様の前処理工程というべきものであるために、図示省略するが、先ず、保護フィルム４の一面に粘着材３の層を、粘着剤をロール転写によって塗布し、その後に剥離材２が貼着される。これによって、図２に示す積層構造で、ロール状に巻かれた長尺の保護シート材１が形成される。【００２２】  前記保護フィルム４は、ここでは、厚みが、５０〜２００ミクロンのＰＥＴ（ポリエチレンテレフタレート）のフィルムで構成されている。従って、適度の可撓性を有し、折り曲げようとすると湾曲し、力を解除すると原状に復元するものである。
本発明においては、この保護フィルム４は、ＰＥＴの素材フィルムだけでなく、図示省略しているが、防眩性乃至自己修復性を持たせるため、ベースのフィルム上に３０ミクロン程度の軟質樹脂層（シリコーンとウレタン系樹脂の混合物）との積層状体として構成されている。しかし乍ら、ＰＥＴの素材フィルムだけで構成される場合もある。【００２３】  また、粘着材３は、粘着剤として溶剤を用いたシリコーン樹脂液をロール転写により前記保護フィルム４に塗布することで構成されている。
更に、前記保護フィルム４の他側面（即ち、貼着後の表面を構成する一側面）には、この実施例では、表面保護膜５が設けられており、ここでは  ＰＰ（ポリプロピレン）又はＰＥＴで構成され、保護シート１が画面等へ転写、貼着された後に剥離され、廃棄される。この表面保護膜５についは、実施に際しては、これを備えておらず、前記保護フィルム４の表面がそのまま外表面とされてよい。【００２４】  そして、前記保護シート材１は、前記保護フィルム４に、厚みが５０ミクロン〜１００ミクロンの剥離材２を貼着することで構成されているが、ここでは、その剥離材２のベースにＰＥＴを用いている。尚、他にＰＰ、その他のベース材、例えば、洋紙を用いる場合などで、必要あれば、この一側面、即ち、前記粘着材３の層に接する面側に、シリコーン皮膜などの離型剤を塗布することもある。
そして、この剥離材２の一面、ここでは、前記粘着材３の層に接する一面に、印刷によって、枠線２０がプリントされている。枠線２０は、ここでは、実線で、貼付対象機器の液晶画面に対応するサイズで枠状に描かれているもので、前記保護シート１を液晶画面に載置したとき位置合わせに用いられる。この枠線２０は、僅かの間隔もった二重線にするのが好ましいが、一本線でもよく、また、実線でなく、破線や二点鎖線であってもよく、また、単に液晶画面のコーナー部の部分のみを示す形状であってもよい。【００２５】  図１に示す切込み形成機により、前記保護シート材１に切込み７が形成される。
長尺の保護シート材１が、反転された状態で、図示左方から搬送されてくると、ガイドロール機構１０によって、保護シート材１は、剥離材２が保護フィルム４（粘着材３、表面皮膜材５）から一旦剥離され、分離される。【００２６】  そして、該剥離材２が前記保護シート６から離れた状態において、アンビロール１０Ａ上へと送られ、前記保護シート材１の幅方向略中間位置で所定の間隔Ｌを持たせて、該剥離材２の外表面側から、回転する一対の切込み刃１１を作用させ、前記剥離材２の厚みの９０％（９９％から９０％であれば可）の深さＤ（３５ミクロン）の１本の切込み７を入れる（図３参照）。【００２７】  しかる後に前記ガイドロール機構１０を用いて再び前記保護フィルム４に合流させて貼着させる。
その後に、図１の中段に示すように、使用する電子機器の最終形状となる長さ乃至大きさに前記保護シート材１をカットすることになる。この工程においては、抜き形状刃Ｈを用いて、保護シート１の側から前記剥離材２を残して、その保護シート６の側縁部を、剥離時のつまみ部Ｔが形成されるように、所定の幅で切除し、同時に、外形寸法のカットと、カメラ位置等の窓を穿孔８する。このカット工程は、対象機器のカメラ等の表面配置に応じたバリエーションが考慮されることになるのは勿論である。従って、前記カットは、機器乃至その画面の形状（円形、楕円、角部に丸みのある正方形乃至長方形など）に対応した形状にカットされることも含まれる。【００２８】  上述の製造工程を経て得られた保護シート材１は、図２の下段及び図３に示す構造のものとなる。
図４乃至図８に示すように、この状態の保護シート材１を、対象となる機器の画面ＤＳに貼着する場合、次のように行うが、便宜上、前段構成を含めた状態で説明することにする。
即ち、透明な合成樹脂素材からなる保護フィルム４の一側面に粘着材３の層を設け、前記粘着材３の層を剥離材２で被覆し、使用に際して、前記剥離材２を剥離して前記粘着材３の粘着力で所要の貼付対象機器の液晶画面に貼着する。【００２９】  先ず、前記剥離材２を、可撓性を有する柔軟で透明な合成樹脂素材で構成すると共にその一面に、前記貼付対象機器の液晶画面の周枠を示す枠線２０をプリントしてあり、該剥離材２を前記粘着材３の層に重ねて被覆した後に、その所定位置において、該剥離材２の外表面側から該剥離材２の厚みの９０％以上の深さの切込み７を形成し、該剥離材２の曲げる操作でもって該切込み７の部分で前記剥離材２を分割切断ができるように構成する。図４は、所定の一台の貼付対象機器用に裁断された保護シート１を示す。【００３０】  そして、図５に示すように、前記枠線２０を前記貼付対象機器の液晶画面に位置合わせして載せ、図６に示すように、前記保護シート１の一端側（ここでは、下側）を押さえた状態で他端（上側）を上に持ち上げて湾曲させることで前記切込み７の位置で分割切断する。この持ち上げ動作によって、前記剥離材２は、パキッと破裂音を発して前記切込み７の部分で分断されるのである。【００３１】  該分割切断により、前記剥離材２の可撓性による復元力によって前記粘着材３の層から浮き上がった、持ち上げた側の切断端部２Ａを把持して前記粘着材３の層から前記持ち上げた側の半分の剥離材２を完全に剥離して除去する。図７参照。
次いで、前記剥離材２を剥離した前記保護フィルム４の部分を前記液晶画面に押し付け、貼付して固定する。
しかる後に、図８に示すように、今度は貼付した前記保護フィルム４を押さえて、反対側の前記保護シート１の端部を把持して全体を上方に持ち上げ、湾曲させると、残っている剥離材２がその可撓性によって前記保護フィルム４の粘着材３の層から少し浮き上がるので、その端部２Ｂを把持することで残った剥離材（２）を完全に剥離して除去し、以って、前記保護フィルム（４）残りの部分も前記液晶画面に押し付けて貼付するのである。
【産業上の利用可能性】
【００３２】  本発明は、保護シートを剥離材にプリントした枠線を利用して液晶画面に適正に位置合わせでき、正確に貼付することができるもので、液晶画面等だけでなく、種々の機器などの表面保護を図ることができるので、用途が広がり利用価値が高い。
【符号の説明】
【００３３】  １：  保護シート
２：  剥離材
３：  粘着材
４：  保護フィルム
７：  切込み
２０：  枠線
【要約】      （修正有）【課題】保護シート材を貼付機器の液晶画面に対して正確に載置してその保護フィルムを貼付することができるようにし、失敗による貼り直しを回避して、一般のユーザーでも保護フィルムの綺麗な貼付を行うことができる方法。【解決手段】粘着材の層を、可撓性を有する柔軟で透明な合成樹脂素材で構成された剥離材２で被覆した保護シート材１で、剥離材２の所定位置において、枠線をプリントし、且つ、厚みの９０％以上の深さの切込み７を入れて、剥離材２を曲げる操作にて切込み７の部分で分割ができるように構成し、枠線を液晶画面ＤＳに位置合わせし、保護シート１の一端側を押さえた状態で他端を上に持ち上げて湾曲させ、粘着材の層から浮き上がった切断端部２Ａを把持して剥離材２の半分を完全除去し、保護フィルム４を正確な位置に、半分ずつ貼付、固定できる保護フィルムの貼付方法。【選択図】図６【図１】
0005928857.tif 000002
【図２】
0005928857.tif 000003
【図３】
0005928857.tif 000004
【図４】
0005928857.tif 000005
【図５】
0005928857.tif 000006
【図６】
0005928857.tif 000007
【図７】
0005928857.tif 000008
【図８】
0005928857.tif 000009
【図９】
0005928857.tif 000010
【図１０】
0005928857.tif 000011
【図１１】
0005928857.tif 000012